(57)【要約】【課題】片手での脱着作業も可能となり、しかも、狭い箇所等への脱着も容易な物品の取付機構を提供する。【解決手段】物品１２が固定される取付板１４と、取付板１４に取付けられ、双方向に摺動可能なスライド板１６と、スライド板１６を一方向に付勢する弾性部材１８と、を有する取付金具２０を備え、取付板１４とスライド板１６とによりレール２２を係合支持して、レール２２に物品を取り付ける物品の取付機構であって、スライド板１６は、取付板１４を越えて外方に露出し、且つ、先端部が操作面４４とされたタブ４２を有する。【選択図】図３
2018107252.tif 000002
【特許請求の範囲】
【請求項１】
物品が固定される取付板と、
前記取付板に取付けられ、双方向に摺動可能なスライド板と、
前記スライド板を一方向に付勢する弾性部材と、を有する取付金具を備え、
前記取付板と前記スライド板とによりレールを係合支持して、前記レールに物品を取り付ける物品の取付機構であって、
前記取付板は、前記レールの一方の側部が係合する第１凹部が形成された一対の第１爪部と、前記弾性部材の一方の端部が固定された第１固定部とを有し、
前記スライド板は、前記レールの他方の側部が係合する第２凹部が形成された一対の第２爪部と、前記弾性部材の他方の端部が固定された第２固定部とを有し、
前記第１凹部及び前記第２凹部は、それぞれ底部に向かって隙間が狭くなる形状を有し、
前記第１固定部及び前記第２固定部は、前記弾性部材の付勢方向に沿って互いに対向し、且つ、前記弾性部材の付勢によって、前記第１爪部と前記第２爪部とが接近する位置関係で、前記取付板及び前記スライド板に設けられ、
前記スライド板は、前記取付板を越えて外方に露出し、且つ、先端部が操作面とされたタブを有することを特徴とする物品の取付機構。
【請求項２】
請求項１記載の物品の取付機構において、
前記一対の第２爪部は、互いに折り曲げ角度が４５°≦θ＜９０°の範囲で折り曲げられ、
前記一対の第２爪部の互いに対向する底部間の間隔をＤａ、互いに対向する端部間の間隔をＤｂとしたとき、Ｄａ＜Ｄｂであることを特徴とする物品の取付機構。
【請求項３】
請求項１又は２記載の物品の取付機構において、
前記取付板は、前記物品をねじ又はリベットで固定する構造を有することを特徴とする物品の取付機構。
【発明の詳細な説明】
【技術分野】
【０００１】
本発明は、物品の取付機構に関し、例えば電気機器や電子機器等をレールに取り付けるのに好適な物品の取付機構に関する。
【背景技術】
【０００２】
従来の電子機器の取付機構として、例えば特許文献１記載の構造は、底板から切り起こし横方向に２個配置された固定爪とスライダに設けた２個の可動爪によってレールを挟持する構成となっている。
【０００３】
特許文献２及び３記載の取付機構は、機器本体に取付け固定される取付板としての背面板と、背面板に取付けられる上下動可能なスライダと、スライダを上方に付勢する弾性部材としてのスプリングからなる取付金具を備える。
【０００４】
特許文献４記載の取付機構は、固定係合爪部成形用金型抜き穴が、リアケースの外面部側に形成された凹部と、凹部の底部に形成された穴部で構成される。
【０００５】
特許文献５記載の取付機構は、ねじ回しを、ケースの前面側よりスライドつまみの開口部に挿入すると、スライド部の下部係合片がＤＩＮレールの下部フランジ部から外れ、ケースがＤＩＮレールから外れる構成となっている。
【０００６】
特許文献６記載の取付機構は、電子機器をレールに取り付けるものとして、その電子機器を両側上部に放熱フィンを有するヒートシンクの底部内面に固定すると共に、上記ヒートシンクの底部外面に、弾性部材により上記レールに係止する爪片を備えた固定爪構体と可動爪構体とを設けた構造である。
【先行技術文献】
【特許文献】
【０００７】
【特許文献１】特開２００６−２５３５３１号公報
【特許文献２】特許第４１４４０３１号公報
【特許文献３】特許第４６２６６７２号公報
【特許文献４】特許第４７０６４８５号公報
【特許文献５】特許第５１９７２４５号公報
【特許文献６】実開昭６０−１５８７４５号公報
【発明の概要】
【発明が解決しようとする課題】
【０００８】
ところで、従来の取付機構、特に、電子機器のレールへの固定は、固定爪と取付板の突起で複数の部位を利用してレールに固定している。
【０００９】
この場合、スライド部を引き出す構造において、工具を使用して引く動作は、指で押す動作よりも力を入れにくい。しかも、スライド部を引きながらレールに対して脱着することになるため、片方の手でスライド部を引き、もう一方の手で機器を持ちながら脱着する必要があるため、狭い箇所等での脱着の作業性が悪いという問題がある。
【００１０】
本発明はこのような課題を考慮してなされたものであり、片手での脱着作業も可能となり、しかも、狭い箇所等への脱着も容易な物品の取付機構を提供することを目的とする。
【課題を解決するための手段】
【００１１】
［１］  本発明に係る物品の取付機構は、物品が固定される取付板と、前記取付板に取付けられ、双方向に摺動可能なスライド板と、前記スライド板を一方向に付勢する弾性部材と、を有する取付金具を備え、前記取付板と前記スライド板とによりレールを係合支持して、前記レールに物品を取り付ける物品の取付機構であって、前記取付板は、前記レールの一方の側部が係合する第１凹部が形成された一対の第１爪部と、前記弾性部材の一方の端部が固定された第１固定部とを有し、前記スライド板は、前記レールの他方の側部が係合する第２凹部が形成された一対の第２爪部と、前記弾性部材の他方の端部が固定された第２固定部とを有し、前記第１凹部及び前記第２凹部は、それぞれ底部に向かって隙間が狭くなる形状を有し、前記第１固定部及び前記第２固定部は、前記弾性部材の付勢方向に沿って互いに対向し、且つ、前記弾性部材の付勢によって、前記第１爪部と前記第２爪部とが接近する位置関係で、前記取付板及び前記スライド板に設けられ、前記スライド板は、前記取付板を越えて外方に露出し、且つ、先端部が操作面とされたタブを有することを特徴とする。
【００１２】
先ず、弾性部材の付勢によって、第１固定部及び第２固定部とが互いに離間し、且つ、第１爪部と第２爪部とが互いに接近することとなる。これにより、取付板における一対の第１爪部の各第１凹部にレールの一方の側部が係合し、スライド板における一対の第２爪部の各第２凹部にレールの他方の側部が係合する。この場合、第１凹部及び第２凹部は、それぞれ底部に向かって隙間が狭くなる形状を有することから、レールの一方の側部は、各第１凹部に点接触又は線接触で固定され、レールの他方の側部は、各第２凹部に点接触又は線接触で固定される。つまり、取付板は、第１爪部の第１凹部によってレールの一方の側部に点接触又は線接触で固定され、スライド板は、第２爪部の第２凹部によってレールの他方の側部に点接触又は線接触で固定され、取付板に固定された物品は取付金具を介してレールに固定されることとなる。
【００１３】
特に、スライド板は、取付板を越えて外方に露出し、且つ、先端部が操作面とされたタブを有する。そのため、操作面を例えば片手で操作するだけで、スライド板を双方向に摺動させることが可能となり、物品が取り付けられた取付金具のレールへの固定、取付金具のレールからの取り外しを容易に行うことができ、しかも、狭い箇所等への取付金具の脱着も容易になる。
【００１４】
［２］  本発明において、前記一対の第２爪部は、互いに折り曲げ角度が４５°≦θ＜９０°の範囲で折り曲げられ、前記一対の第２爪部の互いに対向する底部間の間隔をＤａ、互いに対向する端部間の間隔をＤｂとしたとき、Ｄａ＜Ｄｂであることが好ましい。
【００１５】
例えば一対の第２爪部が、互いに折り曲げ角度が９０°で折り曲げられている場合、レールの他方の側部は、第２爪部の第２凹部と線接触するか、あるいは、第２爪部の第２凹部を構成する外側面の稜線とレールの表面とが点接触し、第２凹部を構成する外側面の稜線とレールの裏面とが点接触する。あるいは、第２爪部の第２凹部を構成する内側面の稜線とレールの表面とが点接触し、第２凹部を構成する内側面の稜線とレールの裏面とが点接触する。
【００１６】
これに対して、スライド板の一対の第２爪部の互いに対向する端部間の間隔が、一対の第２爪部の互いに対向する底部間の間隔よりも大きい場合、一対の第２爪部をスライド板のスライド方向に見たとき、八の字形状になる。そのため、レールの他方の側部は、第２爪部に点接触で固定される。特に、第２爪部の第２凹部を構成する外側面の稜線とレールの表面とが点接触し、第２凹部を構成する内側面の稜線とレールの裏面とが点接触する。そのため、レールに対してスライド板が強固に固定され、スライド板の横ずれ等が防止され、これに伴って、取付金具の横ずれも防止することができる。
【００１７】
［３］  本発明において、前記取付板は、前記物品をねじ又はリベットで固定する構造を有することが好ましい。
【００１８】
従来、レールに対する取付金具の脱着作業が困難であったことから、レールに対して物品を脱着する場合、取付金具をレールに残したまま、取付金具に対して物品を脱着するようにしている。そのため、物品を取付金具に強固に固定することができず、物品が取付金具から外れやすいという問題がある。
【００１９】
これに対して、本発明は、レールに対して物品を脱着する場合は、スライド板の操作面を操作して、物品を取付金具ごとレールに対して脱着すればよいため、取付金具に物品を強固に固定しても、レールに対する物品の脱着が容易である。これにより、取付金具に物品を強固に固定することができ、物品が取付金具から外れやすいという問題を解消することができる。
【発明の効果】
【００２０】
以上説明したように、本発明に係る物品の取付機構によれば、片手での脱着作業も可能となり、しかも、狭い箇所等への脱着も容易になる。
【図面の簡単な説明】
【００２１】
【図１】本実施の形態に係る物品の取付機構を示す斜視図である。
【図２】本実施の形態に係る物品の取付機構の取付金具を示す斜視図である。
【図３】取付金具を裏面側から見て示す斜視図である。
【図４】図４Ａは本実施の形態に係る物品の取付機構を示す側面図であり、図４Ｂは取付板の第１爪部の部分を拡大して示す図である。
【図５】図５Ａはスライド板を裏面側から見て示す斜視図であり、図５Ｂはスライド板の第２爪部にレールの他方の側部（二点鎖線で示す）が固定された状態を拡大して示す図である。
【図６】スライド板の第２爪部が折り曲げ角度＝９０°で折り曲げられている場合に、レールの他方の側部（二点鎖線で示す）が固定された状態を拡大して示す図である。
【発明を実施するための形態】
【００２２】
以下、本発明に係る物品の取付機構の実施の形態例を図１〜図６を参照しながら説明する。
【００２３】
先ず、本実施の形態に係る物品の取付機構１０は、図１及び図２に示すように、表面に物品１２（二点鎖線参照）が固定される例えば金属製の取付板１４と、取付板１４に取付けられ、双方向に摺動可能な例えば金属製のスライド板１６と、スライド板１６を一方向に付勢する弾性部材１８と、を有する取付金具２０を備える。そして、取付板１４とスライド板１６とによりレール２２を係合支持して、レール２２に物品１２を間接的に取り付ける。弾性部材１８は、例えば圧縮ばねを用いることが好ましい。
【００２４】
図３に示すように、取付板１４は、表面に物品１２が固定される平板部２４と、平板部２４の側面からレール２２に向かって立ち上がる一対の側板部２６と、平板部２４の例えば正面から立ち上がり、一定の間隔を置いて形成された２つの正面板部２８と、を有する。
【００２５】
平板部２４には、例えばコーナー部に、ねじ又はリベット等が挿通する貫通孔３０が形成されている。すなわち、取付板１４は、物品１２をねじ又はリベットで固定する構造を有する。
【００２６】
各側板部２６は、図４Ａ及び図４Ｂに示すように、レール２２の一方の側部２２ａが係合する第１凹部３２ａが形成された一対の第１爪部３４ａ（図３参照）と、弾性部材１８の一方の端部が固定された第１固定部３６ａとを有する。
【００２７】
第１爪部３４ａは、側板部２６と共に、取付板１４の平板部２４に対してほぼ直角に立ち上がった状態で設けられている。第１爪部３４ａの第１凹部３２ａは、図４Ｂに示すように、底部３８ａに向かって隙間が狭くなる形状を有する。
【００２８】
第１固定部３６ａは、平板部２４の一部を例えば板金の折り曲げ加工等によって、レール２２が位置する裏面側に折り曲げることで形成されている。
【００２９】
スライド板１６は、図３に示すように、取付板１４における平板部２４の裏面側に摺動自在に取り付けられ、レール２２の他方の側部２２ｂ（図４Ａ参照）が係合する第２凹部３２ｂが形成された一対の第２爪部３４ｂと、弾性部材１８の他方の端部が固定された第２固定部３６ｂと、第１固定部３６ａが挿通し、スライド板１６を摺動可能にするための貫通孔４０とを有する。
【００３０】
第２爪部３４ｂは、上述した第１爪部３４ａとは異なり、スライド板１６に対して折り曲げ角度θが４５°≦θ＜９０°の範囲で折り曲げられている。従って、一対の第２爪部３４ｂの互いに対向する底部間の間隔をＤａ、互いに対向する端部間の間隔をＤｂとしたとき、Ｄａ＜Ｄｂの関係を有する。また、第２爪部３４ｂの第２凹部３２ｂは、図４Ａ及び図４Ｂに示すように、底部３８ｂに向かって隙間が狭くなる形状を有する。
【００３１】
スライド板１６の第２固定部３６ｂは、スライド板１６の一部を例えば板金の折り曲げ加工等によって、レール２２が位置する裏面側に折り曲げることで形成されている。
【００３２】
すなわち、第１固定部３６ａ及び第２固定部３６ｂは、弾性部材１８の付勢方向に沿って互いに対向し、且つ、弾性部材１８の付勢によって、第１爪部３４ａと第２爪部３４ｂとが接近する位置関係で、取付板１４及びスライド板１６に設けられている。
【００３３】
さらに、スライド板１６は、長手方向に延び、取付板１４の２つの正面板部２８の間を挿通するタブ４２を有する。すなわち、タブ４２は、取付板１４を越えて外方（正面側）に露出している。また、タブ４２は、その先端部がスライド板１６に対してほぼ直角に屈曲し、例えば作業者による操作面４４とされる。
【００３４】
次に、物品１２を取付金具２０を用いてレール２２に取り付ける手法の一例を説明する。
【００３５】
先ず、取付板１４における平板部２４の表面に物品１２をねじ又はリベットを等を用いて固定する。
【００３６】
スライド板１６の操作面４４を弾性部材１８の付勢に抗して押圧して、取付板１４の第１爪部３４ａとスライド板１６の第２爪部３４ｂとを互いに離間させる。そして、レール２２の一方の側部２２ａに第１爪部３４ａの第１凹部３２ａを係合させ、次いで、操作面４４に対する押圧を弱めて、第１爪部３４ａと第２爪部３４ｂとを互いに接近させながら、レール２２の他方の側部２２ｂに第２爪部３４ｂの第２凹部３２ｂを係合させる。その後、操作面４４に対する押圧を止めることで、第１爪部３４ａと第２爪部３４ｂとがレール２２を挟持し、これにより、物品１２を固定した取付金具２０がレール２２に取り付けられることになる。
【００３７】
取付金具２０をレール２２から取り外すときは、上述と逆の手順で行えばよく、例えば取付板１４から露出しているスライド板１６の操作面４４を取付板１４の方向に押圧することで、第１爪部３４ａと第２爪部３４ｂとが互いに離間するため、第１爪部３４ａとレール２２の一方の側部２２ａとの係合が外れ、さらに、第２爪部３４ｂとレール２２の他方の側部２２ｂとの係合が外れる。これにより、レール２２から取付金具２０を、すなわち、物品１２を容易に取り外すことができる。
【００３８】
このように、本実施の形態に係る物品の取付機構は、弾性部材１８の付勢によって、第１固定部３６ａ及び第２固定部３６ｂとが互いに離間し、且つ、第１爪部３４ａと第２爪部３４ｂとが互いに接近することとなる。これにより、取付板１４における一対の第１爪部３４ａの各第１凹部３２ａにレール２２の一方の側部２２ａが係合し、スライド板１６における一対の第２爪部３４ｂの各第２凹部３２ｂにレール２２の他方の側部２２ｂが係合する。
【００３９】
この場合、第１凹部３２ａ及び第２凹部３２ｂは、それぞれ底部３８ａ及び３８ｂに向かって隙間が狭くなる形状を有することから、レール２２の一方の側部２２ａは、各第１凹部３２ａに点接触又は線接触で固定され、レール２２の他方の側部２２ｂは、各第２凹部３２ｂに点接触又は線接触で固定される。
【００４０】
つまり、取付板１４は、第１爪部３４ａの第１凹部３２ａによってレール２２の一方の側部２２ａに点接触又は線接触で固定され、スライド板１６は、第２爪部３４ｂの第２凹部３２ｂによってレール２２の他方の側部２２ｂに点接触又は線接触で固定され、取付板１４に固定された物品１２は取付板１４を介してレール２２に固定されることとなる。
【００４１】
特に、スライド板１６は、取付板１４を越えて外方に露出し、且つ、先端部が操作面４４とされたタブ４２を有する。そのため、操作面４４を例えば片手で操作するだけで、スライド板１６を双方向に摺動させることが可能となり、物品１２が取り付けられた取付金具２０のレール２２への固定、取付金具２０のレール２２からの取り外しを容易に行うことができ、しかも、狭い箇所等への取付金具２０の脱着も容易になる。
【００４２】
また、本実施の形態において、一対の第２爪部３４ｂは、互いに折り曲げ角度θが４５°≦θ＜９０°の範囲で折り曲げられ、一対の第２爪部３４ｂの互いに対向する底部間の間隔をＤａ、互いに対向する端部間の間隔をＤｂとしたとき、Ｄａ＜Ｄｂである。
【００４３】
例えば一対の第２爪部３４ｂが、互いに折り曲げ角度θ＝９０°で折り曲げられている場合、図６に示すように、レール２２の他方の側部２２ｂは、第２爪部３４ｂの第２凹部３２ｂと線接触するか、あるいは、第２爪部３４ｂの第２凹部３２ｂを構成する外側面の一方の稜線５０ａとレール２２の表面とが点接触し（黒丸で示す）、第２凹部３２ｂを構成する外側面の他方の稜線５０ｂとレール２２の裏面とが点接触する（黒丸で示す）。あるいは、第２爪部３４ｂの第２凹部３２ｂを構成する内側面の一方の稜線５２ａとレール２２の表面とが点接触し（白丸で示す）、第２凹部３２ｂを構成する内側面の他方の稜線５２ｂとレール２２の裏面とが点接触する（白丸で示す）。すなわち、レール２２は、第２爪部３４ｂの同一側面に位置する２つの稜線で点接触することから、例えば横方向の力に対して十分な耐久力を得ることができず、横ずれし易くなる。
【００４４】
これに対して、図５Ａに示すように、スライド板１６の一対の第２爪部３４ｂの互いに対向する端部間の間隔Ｄｂが、一対の第２爪部３４ｂの互いに対向する底部間の間隔Ｄａよりも大きい場合、一対の第２爪部３４ｂをスライド板１６のスライド方向に見たとき、八の字形状になる。
【００４５】
そのため、図５Ｂに示すように、レール２２の他方の側部２２ｂは、第２爪部３４ｂのそれぞれ異なる側面に位置する２つの稜線で点接触することとなる。すなわち、第２爪部３４ｂの第２凹部３２ｂを構成する外側面の一方の稜線５０ａとレール２２の表面とが点接触し（黒丸で示す）、第２凹部３２ｂを構成する内側面の他方の稜線５２ｂとレール２２の裏面とが点接触する（白丸で示す）。そのため、レール２２に対してスライド板１６が強固に固定され、例えば横方向の力に対して十分な耐久力を得ることができる。これに伴って、スライド板１６の横ずれが防止され、取付板１４の横ずれも防止することができる。
【００４６】
また、本実施の形態において、取付板１４は、物品１２をねじ又はリベットで固定する構造、すなわち、ねじ又はリベット等が挿通する貫通孔３０を有する。
【００４７】
従来、レールに対する取付金具の脱着作業が困難であったことから、レールに対して物品を脱着する場合、取付金具をレールに残したまま、取付金具に対して物品を脱着するようにしている。そのため、物品を取付金具に強固に固定することができず、物品が取付金具から外れやすいという問題がある。
【００４８】
これに対して、本実施の形態は、レール２２に対して物品１２を脱着する場合は、スライド板１６の操作面４４を操作して、物品１２を取付金具２０ごとレール２２に対して脱着すればよいため、取付金具２０に物品１２を強固に固定しても、レール２２に対する物品１２の脱着が容易である。これにより、取付金具２０に物品１２を強固に固定することができ、物品１２が取付金具２０から外れやすいという問題を解消することができる。
【００４９】
なお、本発明に係る物品の取付機構は、上述の実施の形態に限らず、本発明の要旨を逸脱することなく、種々の構成を採り得ることはもちろんである。
【符号の説明】
【００５０】
１０…取付機構                          １２…物品
１４…取付板                            １６…スライド板
１８…弾性部材                          ２０…取付金具
２２…レール                            ２２ａ…一方の側部
２２ｂ…他方の側部                      ２４…平板部
２６…側板部                            ２８…正面板部
３０、４０…貫通孔                      ３２ａ…第１凹部
３２ｂ…第２凹部                        ３４ａ…第１爪部
３４ｂ…第２爪部                        ３６ａ…第１固定部
３６ｂ…第２固定部                      ３８ａ…底部（第１凹部）
３８ｂ…底部（第２凹部）                ４２…タブ
４４…操作面
５０ａ、５０ｂ、５２ａ、５２ｂ…稜線
【図１】
2018107252.tif 000003
【図２】
2018107252.tif 000004
【図３】
2018107252.tif 000005
【図４】
2018107252.tif 000006
【図５】
2018107252.tif 000007
【図６】
2018107252.tif 000008